(57)【要約】【課題】近年の住宅・マンションなど機密性が高く、既設の家具背面と、鴨居・壁面と間に湿気・カビ等の問題がある。また、既存の家具類及び家庭用冷蔵庫などには、転倒防止対策用の処置・配慮はない。今後の家具類、冷蔵庫等には、是非製造過程において家具自身に転倒防止処置を講じ、近い将来必ず起ると云われる大地震に備え、小型でシンプル、更に安価に転倒防止器具を提供する。【解決手段】本発明は、家具の移動時・新規購入などの機会を捉え、また既存設置家具に容易に取り付けられ、家具等と鴨居・壁面との隙間・換気路を確保し、家具等側と鴨居・桟側を夫々独立した別個の器具として連結・固定しようとするもので、個別の応用もできるｄL字型を採用。本発明のｄL字型転倒防止器具は、量産に依る低コストを目指し、小型でシンプルな構成・構造で取り付けも容易、金太郎飴のように、夫々左右共用の一体成型であることを最も主要な特徴とする。【特許請求の範囲】
【請求項１】
Ｌ字型板金具を介して家具等と鴨居・桟を接合・固定することで、家具等の地震時の揺れ等による転倒を防止する手段において、次の1〜９の全てを満たす構造・構成からなる、ｄＬ字タイプの家具類等転倒防止器具である
１． L字型板金具ハウジングのＬ型に折れ曲がる部分で縦軸部と横軸部に分割・分離し
２． 前記縦軸部は、家具等を固定する機能とし、前記横軸部は、鴨居・桟等とを固定する機能とに役割分担、夫々を分離・単一の器具として、或いは接続して転倒防止機能を保持する構造であって
３． 長方形パイプ・ブロック（縦10mm程度・横20mm程度・肉厚~2mm程度・長さ1,000mm程度）をハウジングの核として
４． 前記長方形パイプ・ブロックの一方の縦・短辺部は、短辺部面と面一に前記縦軸部を接合、縦方向に（30mm程度）突出し
５． 前記長方形パイプ・ブロックの内部は下面長辺部中央に溝を有する凸型・空洞で、その空洞内を移動可能な空洞幅の四角ナットを封入・格納する構造でd字型をなしている
６． もう一方の前記横軸部は長方形パイプ・ブロック（縦10〜15mm程度・横20〜25mm程度・肉厚2mm程度・長さ30mm程度）、又は直方体ブロック（縦10〜15mm程度・横20〜25mm程度・長さ30mm程度）、をハウジングの核として
７． 長方形パイプ・ブロック、又は直方体ブロックの１方の縦・短辺部は、短辺部面と面一に前記縦軸部を接合、縦方向に（10〜15mm程度）突出し
８． 同じく前記長方形パイプ・ブロック、又は直方体ブロックの下面長辺部を長辺部面と面一に前記横軸部を接合、横方向に（15〜20mm程度）突出して、前記縦・短辺部・突出部とL字型をなす構造である
９． 前記縦軸部と前記横軸部とを当接、ビスまたはボルトで連結・離脱できる構成・構造で、夫々が一体成型されたｄＬ字タイプ家具類等転倒防止器具であることを特徴とする
【請求項２】
１． 長方形パイプ・ブロック（縦10〜15mm程度・横20〜25mm程度・肉厚2mm程度長さ30mm程度）、又は直方体ブロック（縦10〜15mm程度・横20〜25mm程度・長さ30mm程度）、をハウジングの核として、
２． 長方形パイプ・ブロック、又は直方体ブロックの１方の縦・短辺部は短辺部と面一に前記縦軸部を接合、縦方向に30mm〜50mm程度突出し一体成型している、請求項１のｄＬ字タイプ家具類等転倒防止器具
【発明の詳細な説明】
【技術分野】
【０００１】
本発明は、家具類等の転倒防止に関するものである。
【背景技術】
【０００２】
家具類等転倒防止装置の中で、Ｌ型金具は、シンプルな転倒防止器具の一つとして実用に供されている。
前記Ｌ型金具は、その武骨なシンプルさ故に家具等の目に見える箇所ではあまり使われていないが実用上は十分である。
【０００３】
しかし、近年の住宅、特にマンション等は機密性が高く、既設の家具類の背面は通気性が悪く、湿気やカビによる痛みが目に付くようである。また既設の家具の設置状況には、家具等の背面上部と下部の隙間に差があるなど、設置場所・床・壁間に問題があり、家具等と壁面の隙間は、湿気による壁紙の剥離・カビの発生など換気空間が確保されていない、健康上の影響も懸念されるという欠点がある。
【０００４】
一般的大型家具類等、例えば箪笥・食器棚などの転倒防止をする用途において、「倒れん棒」「チェーン・ワイヤー掛け方法」などすでに市販されているが、夫々長点をもっているものの、器具の大きさ、見栄え、設置箇所に関して夫々に難がある。具体的には、前記「倒れん棒」では、設置箇所特に天井側に慎重にする必要があり、また大きく繰り返す揺れ「長周波振動」などに対しては何らかの改善を要し、さらに大型で見栄えも悪いなどの欠点がある。
【０００５】
この改善策として、一般的なＬ型板金具を基本型としハウジングの縦軸部、横軸部を分離・独立器具とし、接合・固定する方法がある。図11は前記方法の、構成と取付け形態を示すための説明図であって、断面図である。図１はその鴨居・桟側器具の上面図で、図２はその断面図、図３は側面図、図４は下面図である。しかしながらこの方法でも、家具の移動・据え直し時などには、固定しようとする家具側と鴨居・桟側の取付け位置関係を調整・移動する必要がある。そこで従来家具側に断面図・図８、正面図・図7、側面図・図９の器具のような組込み器具が処置されていれば、また従来から家具自体に何らかの転倒防止処置がなされていたらと残念である。将来、家具等製造業者に転倒防止手段の設置努力義務を課す方法もあると思うが、製造業界・業者の防災・減災意識の問題でもあり、業界の今後に期待したい。
【先行技術文献】
【特許文献】
【０００６】
【特許文献１】特開  2008-238137号公報
【特許文献１】特開  昭和60-83450号公報
【発明の概要】
【発明が解決しようとする課題】
【０００７】
解決しようとする問題点は、近年の住宅・マンションなど機密性が高く、既設の家具背面と、鴨居・壁面と間に湿気・カビ発生等の問題がある。また「倒れん棒」など、既存の器具はいずれも図体が大きく、設置場所もからんで使い勝手が悪く、見栄えも悪いこと。  また家具側・家具類自体にも、独自の転倒防止の処置・施策がなされていないこと、などの問題点がある。
【課題を解決するための手段】
【０００８】
本発明は、長方形パイプ・ブロック、又は直方体ブロック（以降ブロックと云う）をハウジングの核として、家具類等の背面に隙間・換気路を確保し、起立の安定・負荷重分散・対捻じれ強化・移動据え直しなどにも対応するべく、家具等側と鴨居・桟側を夫々独立・別個の器具とし、機能分担、小型でコンパクト、個別の応用も可能な、ブロックとL字型サッシを接合・一体化した器具であって、ｄL字型ハウジング（以降ハウジングと云う）である。  本発明の各ｄL字型ハウジングは、何れも左右共用のシンプルな構造・構成で、射出一体成型を可能としたことを最も主要な特徴とする。
【発明の効果】
【０００９】
本発明のｄＬ字タイプの家具類等転倒防止器具は、家具等と鴨居・壁面との隙間・換気路を確保し、起立の安定、転倒防止、またコンパクトで取付けが容易であること。また左右共用・射出等一体成型による量産・低コストで提供できること。家具製造業界にとっては防災対策付の新製品という、目に見える地震対策の具体的な提示は、口コミとなり浸透的普及が期待され、何よりも防災・減災意識の向上に貢献できる、など数々の利点がある。
【発明を実施するための形態】
【００１０】
L字型板金具を縦軸部・横軸部に分割・分離、夫々のブロックを核として、シンプルで、左右共用、一体成型できる、夫々のハウジングは、単独の転倒防止器具としての機能も有している。また、射出一体成型による量産・小型・低コストを図り、取付けが容易で、安価に提供できること、という目的を最小の部品点数で、家具等の転倒防止機能を損なわずに実現した。
【実施例１】
【００１１】
本実施例は、長方形パイプ・ブロックを採用し、家具側自身に固定・装着用の器具と、鴨居・桟等に取付・固定用の器具、及び前記二つの器具を連結、離脱可能な構成・構造とした。図１１はその構成を示した断面図で本発明装置の１例である。
【００１２】
図２は断面図で、ブロック１―2―3―4縦15mm・横25mm・長さ30mm・肉厚2mmを核ハウジングベースに、2―4を10mm突出・延伸して5―2―4とし，3―4を18mm突出・延伸して3―4―6となし、断面図２のように1―2―5―15―8―16―6―4―3―1を一体成型することで、ブロック1-2-3-4を家具と鴨居・桟の間に置く形となり、隙間・通気空間を安定確保する。
【００１３】
図２断面図のブロック部分の1-2-3-4と、4―2の延伸・突出部分2―5で家具等（以降家具と云う）を支え当接、3-4-2-5（逆L字）で前後・上下左右の揺れを抑止・保持し、図2のブロック上面1−2には図１上面図のように、家具側器具への当接連結・又は家具に直接取付け固定用のビス穴9を有し、固定用ビスは図４下面図の11を通過して、家具に直接取付け固定固定する。
【００１４】
図２断面図のブロック部分の1―2―3―4と、3―4の延伸・突出部分4―6で鴨居・桟に取付け固定して、1-2-3-4-6（L字）で前後・上下・左右の揺れを抑止・保持する構造であって、延伸・突出部分4―6には図1・図４下面図の10ように、取付け固定用のビス穴10を有し、鴨居・桟に固定用ビスで固定する。
【００１５】
一方、図８は家具の両側板の後部背面に組込み固定する、家具側用の防災対策用器具の断面図であって、20―24面は、家具の側面と面一に、同じく19―20面も側板の後部背面と面一に組込み、図10実施例のように、家具の一部・防災対策用固定部として機能する構造で、図11のように鴨居・桟側器具とを当接できる構造に構成されており、鴨居・桟等側器具に連結・固定される転倒防止器具であって、
【００１６】
構造はいたってシンプルで、ブロック図８の内部、凸空洞部底部及び、側面スカート部に本体を家具に固定する皿ビス口穴を一定の間隔を置いて交互に設け接着剤併用も、ビス固定・装着する。また空洞内を移動可能な空洞幅の連結・固定用の四角ナットを封入・格納、図８-23・図９-23し、他の転倒防止方法等を実施される場合にも活用できるよう、事前に家具の製造時において、家具全高の上部２分の１程度の長さを基準に、組込み装着・整備しておくものである。また家電品なども同様で、製造時に冷蔵庫等の背面左右の上部にナットを1個埋め込み固定されているだけで、減災・防災につなげることが出来ると期待したい。
【００１７】
また家具製造業者側に、減災・防災対策付の新製品というセールスポイント・キャッチフレーズなど、店頭でのイメージUP戦略を立てられ、防災意識・対策実施の促進・向上に貢献できる付加価値・利点がある。
【実施例２】
【００１８】
本実施例は、長方形パイプ・ブロックを採用し、図５の断面図のように、図１の上面図と、図４の下面図とは同様なので省略している。図５の断面図は、図2の2-5を延伸したもので、2-13は、長さ約30〜50mm程度で、ビスで固定する口穴図６-14を有し、家具等の両側面に直接的にビスで固定する。また図１−9を利用し、家具の側板背面からも固定可能である。  シンプルだが、家具等と鴨居・壁面との隙間・通気を、安定確保しているｄＬ字タイプの家具等転倒防止器具で、主として既設・従来の家具等を対象とし、機能とデサインを兼ね備え、取付け方法もシンプルであることを特徴とする。
【産業上の利用可能性】
【００１９】
本発明はシンプルなｄＬ字タイプで、左右共用・一体成型できること、アルミ等軽金属・強化プラスチック等で量産・低コストを図り、見た目にコンパクトでシンプル・外観に厭味が無いこと等々、転倒防止器具の普及に不可欠な要素で、これを全て備えている。また家具・家電器具等自体に減災・防災対策が処置されていることで、これをアピール、新製品として業界をあげて取組み、減災意識の向上を図るようにすることで内需の向上に貢献することが出来る。また引越し運送業にも、家具等の運送のみで終わらず、部屋まで搬入するなら転倒防止器具の設置を推奨することを、業務の一部として取り組むことで、業務拡大・売り上げ増になり、何よりもお客さまへの気遣いとして喜ばれ、口コミによる広がりも期待できる。
【図面の簡単な説明】
【００２０】
【図１】ｄＬ字タイプ転倒防止器具・鴨居・桟側固定器具の実施方法を示した上面図である。（実施例１）
【図２】ｄＬ字タイプ転倒防止器具・鴨居・桟側固定器具の実施方法を示した断面図である。（実施例１）
【図３】ｄＬ字タイプ転倒防止器具・鴨居・桟側固定器具の実施方法を示した側面図である。（実施例１）
【図４】ｄＬ字タイプ転倒防止器具・鴨居・桟側固定器具の実施方法を示した下面図である。（実施例１）
【図５】ｄＬ字タイプ転倒防止器具・シンプルなｄＬ字タイプの実施方法を示した断面図である。（実施例２）
【図６】ｄＬ字タイプ転倒防止器具・シンプルなｄＬ字タイプの実施方法を示した側面図である。（実施例２）
【図７】ｄＬ字タイプ転倒防止器具・家具等側の家具等自体に組込みの実施方法を示した正面図である。（実施例１）
【図８】ｄＬ字タイプ転倒防止器具・家具等側の家具等自体に組込みの実施方法を示した断面図である。（実施例１）
【図９】ｄＬ字タイプ転倒防止器具・家具等側の家具等自体に組込みの実施方法を示した側面図である。（実施例１）
【図１０】ｄＬ字タイプ転倒防止器具・家具等側の家具等自体に組込み例の斜視図である（実施例１）
【図１１】ｄＬ字タイプ転倒防止器具・鴨居・桟側器具と家具側器具との接続状態の構成・構造を示した断面図である。（実施例１）
【図１２】ｄＬ字タイプ転倒防止器具・鴨居・桟側固定器具の実施方法を示した斜視図である。（実施例１）
【符号の説明】
【００２１】
１    ブロックの上面・左端
２    ブロックの上面・右端
３    ブロックの下面・左端
４    ブロックの下面・右端
５    Ｌ字型の縦突出・延伸部・先端
６    Ｌ字型の横突出・延伸部・先端
７    ブロックの空洞部で凸型、四角ナットが固定しようとする位置に随意移動し固定できる
８   Ｌ字型の屈折部・肉厚補強のＲ部 
９    家具等とブロックを固定する・ビス口穴
10   鴨居・桟等とブロックを固定する・ビス口穴
11   家具等とブロックを固定する・ビス口穴の対面側（図４下面図）に有し、前記ビスの頭部が通過するビス口穴
13   シンプルなｄＬ字タイプＬ字型の縦突出・延伸部・先端部
14   シンプルなｄＬ字タイプＬ字型の縦突出・延伸部図（６側面）家具等固定ビス口穴
15   Ｌ字部の肉厚補強による段差でデザインのうえでも好影響（印象）
16   Ｌ字部の肉厚補強による段差でデザインのうえでも好影響（印象）
17   家具等側の家具等自体に組込みのブロック、家具接触面の左端
18   家具等側の家具等自体に組込みのブロック、家具接触面の右端
19   家具等側の家具等自体に組込みのブロック、鴨居・桟側の他器具との当接面左端
20   家具等側の家具等自体に組込みのブロック、鴨居・桟側の他器具との当接面右端
21   家具等側の家具等自体に組込みのブロックの凸型空洞開口部左
22   家具等側の家具等自体に組込みのブロックの凸型空洞開口部右
23   家具等側の家具等自体に組込みのブロック内凸型空洞部に封入・格納されている４角ナット
24   家具等側の家具等自体に組込みのブロックのＬ字縦部分の先端部
25   家具等側の家具等自体に組込みのブロックの凸型空洞・開口部
【図１】
2012024184.tif 000002
【図２】
2012024184.tif 000003
【図３】
2012024184.tif 000004
【図４】
2012024184.tif 000005
【図５】
2012024184.tif 000006
【図６】
2012024184.tif 000007
【図７】
2012024184.tif 000008
【図８】
2012024184.tif 000009
【図９】
2012024184.tif 000010
【図１０】
2012024184.tif 000011
【図１１】
2012024184.tif 000012
【図１２】
2012024184.tif 000013
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
Ｌ字型金具を介して家具等と柱・壁面・桟を接合・固定することで、家具等の地震時の揺れ等による転倒を防止する手段において、次の1〜１０の全てを満たす構造・構成からなる、ｄＬ字タイプの家具類等転倒防止器具であって
１． L字型金具ハウジングのＬ型に折れ曲がる部分で、その機能を縦軸部と横軸部に分離・分割し
２． 前記縦軸部を家具等側に固定する機能・器具とし、前記横軸部は柱・桟等側に固定する機能・器具とに役割分担、夫々を分離・単一の器具として、また連結して転倒防止機能を保持する構造・構成である
３． 前記縦軸部機能は、長方形パイプ・ブロックをハウジングの核として
４． 前記長方形パイプ・ブロックの一方の縦・短辺部は、短辺部面と面一に、縦方向に長辺部上辺面より上方に突出し、複数の固定用ビス孔を有する
５． 前記長方形パイプ・ブロックの長辺部・下面の中央部には縦方向に一定幅の切欠・開口部を有し、その断面・内部は空洞、凸型をなし、その空洞内には空洞内を摺動可能、回転不可能な幅の四角ナットを複数、または複数のナット孔を有する前記四角ナットを封入格納、前記長方形パイプ・ブロックの長辺部・上辺面には、家具等に固定・組み込み用の複数のビス孔を有する、または家具等と一体化、また一部とする構成・構造の器具でｄ型をなしている
６． もう一方の前記横軸部機能は、柱・壁面・桟側に固定する構造であって、長方形パイプ・ブロック、又は直方体ブロックをハウジングの核として
７． 長方形パイプ・ブロック、又は直方体ブロックの１方の縦・短辺部は、短辺部面に前記縦軸部を接合、縦方向に長辺部上辺面より突出し、その突出部の長短により、また必要に応じ複数のビス孔を設ける
８． 同じく前記長方形パイプ・ブロック、又は直方体ブロックの下面長辺部には、下面長辺部面と面一に横方向に突出し、柱・壁面・桟側等への固定用のビス孔を複数有して、前記縦・短辺部の突出部とL字型をなしている
９． 前記長方形パイプ・ブロック、又は直方体ブロックの長辺部上辺面には、前記5項の前記四角ナットに対応する連結・離脱用のビス・ボルト孔を複数有しており、同じく長辺部下辺面には前記四角ナットと連結・離脱用のビス・ボルト頭部大の頭部通過、頭部埋没用孔を複数有している
１０．           
前記縦軸部機能（３〜５）と前記横軸部機能（６〜８）とを当接、ビスまたはボルトで連結・離脱できる構成・構造（図１１）であって、夫々が一体成型され、また夫々が単一器具として活用できるｄＬ字タイプの、家具類等転倒防止器具であることを特徴とする
【手続補正書】
【提出日】平成23年4月4日(2011.4.4)
【手続補正１】
【補正対象書類名】明細書
【補正対象項目名】全文
【補正方法】変更
【補正の内容】
【発明の詳細な説明】
【技術分野】
【０００１】
本発明は、家具類等の転倒防止に関するものである。
【背景技術】
【０００２】
家具類等転倒防止装置の中で、Ｌ型金具は、シンプルな転倒防止器具の一つとして実用に供されている。
前記Ｌ型金具は、その武骨なシンプルさ故に家具等の目に見える箇所ではあまり使われていないが実用上は充分である。
【０００３】
しかし、近年の住宅、特にマンション等は機密性が高く、既設の家具類の背面は通気性が悪く、湿気やカビによる痛みが目に付くようである。また既設の家具の設置状況には、家具等の背面上部と背面下部との隙間に差がある、または家具等と壁面との隙間が無いなど、設置場所・床・壁面間の影響を受けて、家具等と壁面の隙間は、湿気による壁紙の剥離・カビの発生など換気空間が確保されていない、また衛生上の影響も懸念されるという欠点がある。
【０００４】
一般的大型家具類等、例えば箪笥・食器棚などの転倒防止をする用途において、「倒れん棒」「チェーン・ワイヤー掛け方法」などすでに市販されているが、夫々長点をもっているものの、器具の大きさ、見栄え、設置箇所に関して夫々に難がある。具体的には、前記「倒れん棒」では、設置箇所特に天井側に慎重にする必要があり、また大きく繰り返す揺れ「長周期地震動」などに対しては何らかの改善を要し、さらに大型で見栄えも悪いなどの欠点がある。
【０００５】
この改善策として、一般的なＬ型金具を基本型とし、そのハウジングの縦軸部、横軸部を機能分離・独立器具とし、連結接合・固定する方法がある。図11は前記方法の、構成と取付け形態を示すための説明図であって、断面図である。図１はその鴨居・桟側器具の上面図で、図２はその断面図、図３は側面図、図４は下面図である。しかしながらこの方法でも、家具の移動・据え直し時などには、固定しようとする家具側と鴨居・桟側の取付け位置を確認・調整移動する必要がある。そこで従来家具側に断面図・図８、正面図・図7、側面図・図９の器具のような組込み器具が処置されていれば、また従来から家具、冷蔵庫等の製造過程で、製品自体に何らかの転倒防止用の処置がなされていたらと残念である。将来、家具等製造業者に転倒防止手段の設置努力義務を課す方法もあると思うが、製造業界・業者の防災・減災意識と具体的取り組みの問題でもあり、業界の今後に期待したい。
【特許文献１】特開  2010-022436号公報
【特許文献１】特開  2006-239091号公報
【特許文献１】特開  2001-037561号公報
【発明の開示】
【発明が解決しようとする課題】
【０００６】
解決しようとする問題点は、近年の住宅・マンションなど機密性が高く、既設の家具背面と、柱・壁面との間に湿気・カビ発生等の問題がある。また「倒れん棒」など、既存の器具はいずれも図体が大きく、見栄えも悪いこと。  またなによりも冷蔵庫等の家電・家具類自体に、独自の転倒防止の処置・施策がなされていないこと、などの問題点がある。
【課題を解決するための手段】
【０００７】
本発明は、家具類等の背面に隙間・換気路を確保し、起立の安定・負荷重分散・対捻じれ強化・移動据え直しなどにも対応するべく、家具等側と柱・壁面・桟側とを夫々独立・別個の器具とし、機能分担、小型でコンパクト、購入時のみでなく、現行既存家具への対応が可能であること。  本発明のｄL字型ハウジング（以降ハウジングと云う）は、d字型部・L字型部の何れも左右共用のシンプルな構造・構成で、上部及び側面ともに取付可能な、また夫々が射出・押し出し成型等の一体成型であることを最も主要な特徴とする。
【発明の効果】
【０００８】
本発明のｄＬ字タイプの家具類等転倒防止器具は、家具等と柱・壁面との隙間・換気路を確保し、コンパクトで取付けが容易であること。また左右共用、射出・押し出し等の一体成型によって、金太郎飴のように量産化・低コストを可能にし、より安価に提供できること。家電・家具製造業界にとっては防災対策付の新製品という、目に見える具体的な提示は、口コミとなり浸透的普及が期待され、何よりも防災・減災意識の向上に貢献できるなど数々の利点がある。
【発明を実施するための最良の形態】
【０００９】
L字型板金具を縦軸部・横軸部に分割・分離、夫々のブロックを核として、シンプルで、左右共用、一体成型できる、夫々のハウジングは、単独の転倒防止器具としての機能も有している（例１・ｄ字型部構造を冷蔵庫の両側端の背面に採用、例2・Ｌ字型部は既存家具等に簡易取付けなど）。また、縦軸部・横軸部ともに射出・押し出し等の一体成型による量産・小型・低コストを図り、取付けが容易で、見栄えもよく、より安価に提供できる、という目的を最小の部品点数で、家具等の転倒防止機能を損なわずに実現した。
【実施例１】
【００１０】
本実施例は、長方形パイプ・ブロックを採用し、家具側自身に固定・装着用の器具と、鴨居・壁面・桟等に取付・固定用の器具、及び前記二つの器具を連結、離脱可能な構成・構造とした。図１１はその構成を示した断面図で本発明装置の１例である。
【００１１】
図２は断面図で、ブロック１―2―3―4縦15mm・横25mm・長さ30mm・肉厚2mmを核ハウジングベースに、2―4を10mm突出して5―2―4（肉厚3mm）とし，3―4を18mm突出して3―4―6（肉厚3mm）となし、断面図２のように1―2―5―15―8―16―6―4―3―1を一体成型することで、ブロック1-2-3-4を家具と壁面の間に置く形となり、隙間・通気空間を安定確保する。
【００１２】
図２断面図のブロック部分の1-2-3-4と、4―2面からの突出部分2―5で家具等（以降家具と云う）に当接、１-2-5（逆L字）で前後・上下左右の揺れを抑止・保持し、図2のブロック上面1−2には図１上面図のように、家具側器具に当接、連結・固定用ビスは図４下面図の11を通過して、ビス穴9を介し、家具側器具図8-23と連結・固定する。
【００１３】
図２断面図のブロック部分の1―2―3―4と、3―4の延伸・突出部分4―6で柱・壁面・桟に取付け固定して、1―2―5―15―8―16―6―4―3―1（L字）で前後・上下・左右の揺れを抑止・保持する構造であって、突出部分4―6には図1・図４下面図のように、取付け固定用のビス穴10を有し、柱・壁面・桟に固定用ビスで固定する。
【００１４】
一方、図８は家具の両側板の後部背面に組込み固定する、家具側用器具のハウジングブロック（肉厚2mm）の断面図であって、18―24（肉厚2〜1mm・幅20mm）面は、家具の側面と面一に、同じく19―20面も側板の後部背面と面一に組込み、図10実施例のように、家具の両側板背面上部に器具固定部として、また他の転倒防止器具（ワイヤー・鎖などの）固定部としても活用できる構造であって、図11のように柱・壁面・桟側器具とを当接、連結固定する転倒防止器具である
【００１５】
構造はいたってシンプルで、ブロック図８の内部、凸空洞部底部、及び側面スカート部に本体を家具に固定する皿ビス孔を一定の間隔を置いて交互に設け接着剤併用も可、ビス固定・装着する。なお側面スカート部は、側板に埋め込みその表面を表面資材で側板と面一に覆うことで、家具のデザインを守ることができる。  冷蔵庫等のように側面が金属製の場合には両側背面に本体を埋め込み一体構造とすることが合理的である。また空洞内を移動可能な空洞幅の連結・固定用の四角ナットを封入・格納、図８-23・図９-23し、他の転倒防止方法等を実施される場合にも活用できるよう、事前に家具の製造時において、家具全高の上部２分の１程度の長さを基準に、組込み装着・整備しておくものである。また家電品なども同様で、製造時に冷蔵庫等の背面左右の上部に、一対のナットを埋め込み固定されているだけでも、「これ、何？・何のために付いてるのかな？」と疑問を持ち、説明を受けて減災・防災行動を促すキッカケになる。
【００１６】
また家具・冷蔵庫等の製造業者側に、減災・防災対策付の新製品というセールスポイント・キャッチフレーズなど、店頭でのイメージUP戦略を立てられ、防災意識・対策実施の促進・向上に貢献できる付加価値・利点がある。
【実施例２】
【００１７】
本実施例は、長方形パイプ・ブロックを採用し、図５の断面図のように、図１の上面図と、図４の下面図とは同様なので省略している。図５の断面図は、図2の2-5を突出・30〜60mm程度延伸したもので、図５の2-13は、ビス孔図６-14を有し、家具等の側面に直接ビスで固定する。合わせて図１−9を利用し、家具の側板背面からも固定する。  シンプルだが、家具等と壁面との隙間・通気を安定確保する、ｄＬ字タイプの家具等転倒防止器具で、主として既設・従来の家具等を対象とする取付け方法もシンプルで、オシャレ・解りやすいことを特徴とする。
【産業上の利用可能性】
【００１８】
本発明はシンプルなｄＬ字タイプで、アルミ等軽金属・強化プラスチック樹脂類の他等で、左右共用・一体成型できること、量産・低コストを図り、見た目にコンパクトでシンプル・外観に厭味が無いこと等々、転倒防止器具の普及に不可欠な要素で、これを全て備えている。また家具・家電器具等自体に減災・防災対策が処置されていることで、これをアピール、新製品として業界をあげて取組み、減災意識の向上を図るようにすることで内需の向上に貢献することが出来る。また引越し運送業にも、家具等の運送のみで終わらず、部屋まで搬入するなら転倒防止器具の設置を推奨することを、業務の一部として取り組むことで、業務拡大・売り上げ増になり、何よりもお客さまへの気遣いとして喜ばれ、口コミによる広がりも期待できる。
【図面の簡単な説明】
【００１９】
【図１】ｄＬ字タイプ転倒防止器具・鴨居・桟側固定器具の実施方法を示した上面図である。（実施例１）
【図２】ｄＬ字タイプ転倒防止器具・鴨居・桟側固定器具の実施方法を示した断面図である。（実施例１）
【図３】ｄＬ字タイプ転倒防止器具・鴨居・桟側固定器具の実施方法を示した側面図である。（実施例１）
【図４】ｄＬ字タイプ転倒防止器具・鴨居・桟側固定器具の実施方法を示した下面図である。（実施例１）
【図５】ｄＬ字タイプ転倒防止器具・シンプルなｄＬ字タイプの実施方法を示した断面図である。（実施例２）
【図６】ｄＬ字タイプ転倒防止器具・シンプルなｄＬ字タイプの実施方法を示した側面図である。（実施例２）
【図７】ｄＬ字タイプ転倒防止器具・家具等側の家具等自体に組込みの実施方法を示した正面図である。（実施例１）
【図８】ｄＬ字タイプ転倒防止器具・家具等側の家具等自体に組込みの実施方法を示した断面図である。（実施例１）
【図９】ｄＬ字タイプ転倒防止器具・家具等側の家具等自体に組込みの実施方法を示した側面図である。（実施例１）
【図１０】ｄＬ字タイプ転倒防止器具・家具等側の家具等自体に組込み例の斜視図である（実施例１）
【図１１】ｄＬ字タイプ転倒防止器具・鴨居・桟側器具と家具側器具との接続状態の構成・構造を示した断面図である。（実施例１）
【図１２】ｄＬ字タイプ転倒防止器具・鴨居・桟側固定器具の実施方法を示した斜視図である。（実施例１）
【符号の説明】
【００２０】
１    ブロックの上面・左端
２    ブロックの上面・右端
３    ブロックの下面・左端
４    ブロックの下面・右端
５    Ｌ字型の縦突出・延伸部・先端
６    Ｌ字型の横突出・延伸部・先端
７    ブロックの空洞部で凸型、四角ナットが固定しようとする位置に随意移動し固定できる
８   Ｌ字型の屈折部・肉厚補強のＲ部 
９    家具等とブロックを固定する・ビス口穴
10   鴨居・桟等とブロックを固定する・ビス口穴
11   家具等とブロックを固定する・ビス口穴の対面側（図４下面図）に有し、前記ビスの頭部が通過するビス口穴
13   シンプルなｄＬ字タイプ
Ｌ字型の縦突出・延伸部・先端部
14   シンプルなｄＬ字タイプ
Ｌ字型の縦突出・延伸部図（６側面）家具等固定ビス口穴
15   Ｌ字部の肉厚補強による段差でデザインのうえでも好影響（印象）
16   Ｌ字部の肉厚補強による段差でデザインのうえでも好影響（印象）
17   家具等側の家具等自体に組込みのブロック、家具接触面の左端
18   家具等側の家具等自体に組込みのブロック、家具接触面の右端
19   家具等側の家具等自体に組込みのブロック、鴨居・桟側の他器具との当接面左端
20   家具等側の家具等自体に組込みのブロック、鴨居・桟側の他器具との当接面右端
21   家具等側の家具等自体に組込みのブロックの凸型空洞開口部左
22   家具等側の家具等自体に組込みのブロックの凸型空洞開口部右
23   家具等側の家具等自体に組込みのブロック内凸型空洞部に封入・格納されている４角ナット
24   家具等側の家具等自体に組込みのブロックのＬ字縦部分の先端部
25   家具等側の家具等自体に組込みのブロックの凸型空洞・開口部
【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
Ｌ字型金具を介して家具等と柱・壁面・桟を接合・固定することで、家具等の地震時の揺れ等による転倒を防止する手段において、次の1〜１０の全てを満たす構造・構成からなる、ｄＬ字タイプの家具類等転倒防止器具であって
１． L字型金具のＬ型に折れ曲がる部分で、その機能を縦軸部と横軸部に分割、分離して
２． 前記縦軸部を家具等側に固定する機能の器具とし、前記横軸部は柱・壁面・桟等側に固定する機能の器具とに役割分担、長方形パイプ・ブロックと組み合わせて融合、夫々を単一の器具として、または連結して、転倒防止機能を保持する構造・構成である
３． 前記縦軸部機能は、長方形パイプ・ブロックをハウジングの核として
４． 前記長方形パイプ・ブロックの一方の縦・短辺部は、短辺部面と面一に、縦方向に長辺部上辺面より上方に突出し、その突出部分の幅の大小、用途、及び固定方法により、必要に応じ複数のビス孔を設けることができる
５． 前記長方形パイプ・ブロックの長辺部・下辺部面の中央部分には縦方向に一定幅の切欠、開口部を有し、その断面の内部は空洞、凸型をなし、その空洞内には空洞内を移動可能、回動不能な幅の四角ナットを複数、または複数のナット孔を有する前記四角ナットを封入格納、他方前記長方形パイプ・ブロックの長辺部・上辺面には、家具等に固定・組込み固定用の複数のビス孔を有し、または家具類等と一体化、または家具類等の一部とする構成・構造の器具でｄ型をなしている
６． もう一方の前記横軸部機能は、柱・壁面・桟側に固定する構造であって、長方形パイプ・ブロックをハウジングの核として
７． 長方形パイプ・ブロックの１方の縦・短辺部は、短辺部面に前記縦軸部を接合、縦方向に長辺部上辺面より突出し、その突出部の長短、用途、固定方法により、必要に応じ複数のビス孔を設けることができる
８． 同じく前記長方形パイプ・ブロックの下面長辺部には、下面長辺部面と面一に横（Ｌ字の）方向に突出し、柱・壁面・桟側等への固定用のビス孔を複数有して、前記縦・短辺部の突出部と合しL字型をなしている
９． 前記長方形パイプ・ブロックの長辺部上辺面には、前記5項の前記四角ナットに対応する連結固定用、また離脱用のビス・ボルト孔を複数有しており、他方長辺部下辺面には前記四角ナットと連結固定、または離脱用のビス・ボルト頭部大の頭部通過用、または頭部埋没用孔を複数有している
１０．           
前記縦軸部機能（３〜５）と前記横軸部機能（６〜９）とを当接、ビスまたはボルトで連結固定、また離脱できる構成・構造（図１１）であって、夫々が一体成型され、また夫々が単一器具としても活用できるｄＬ字タイプの、家具類等転倒防止器具であることを特徴とする